(57)【要約】【課題】消費電力の低減を図ることができる光トランシーバを提供する。【解決手段】光トランシーバは、波長λ１〜λ４の信号光を含む光を受信しトランスバーサルフィルタ２１〜２４を用いて、各信号光に含まれる分散を電気的に補償して出力する。光トランシーバの電子式分散補償回路において、このトランスバーサルフィルタ２１〜２４におけるタップ係数c0〜cm,d0〜dnは、上記波長λ２の信号光の分散の補償に適するように最適化されており、他の波長λ１，λ３，λ４の信号光の分散についても、上記最適化されたタップ係数c0〜cm,d0〜dnが適用されて補償される。【選択図】図２
2008054219.tif 000002
【特許請求の範囲】
【請求項１】
波長が互いに異なる複数の信号光を含む光を受信し、前記複数の信号光に対応した複数のチャンネルを有する光トランシーバであって、
前記複数のチャンネルのそれぞれは複数のタップを有するトランスバーサルフィルタを備え、
前記複数のチャンネルの一に備わる前記トランスバーサルフィルタのタップの補償係数は、前記複数の信号光の一の信号光の分散を補償する様に決定されており、
前記一のチャンネル以外の少なくとも一のチャンネルに備わる前記トランスバーサルフィルタも前記補償係数が設定されていることを特徴とする光トランシーバ。
【請求項２】
前記一のチャンネル以外の全てのチャンネルに備わる前記トランスバーサルフィルタに、前記補償係数が設定されていることを特徴とする請求項１に記載の光トランシーバ。
【請求項３】
前記光トランシーバは更に、前記一のチャンネルのトランスバーサルフィルタの補償係数を、前記一のチャンネル以外のトランスバーサルフィルタの補償係数として設定する補償係数設定手段を備えたことを特徴とする請求項１又は２に記載の光トランシーバ。
【請求項４】
前記複数の信号光を含む光は、マルチモードファイバを介して受信されることを特徴とする請求項１〜３の何れか１項に記載の光トランシーバ。
【発明の詳細な説明】
【技術分野】
【０００１】
本発明は、複数の信号光を含む光を受信し、それらの信号光に含まれる分散を電気的に補償する光トランシーバに関するものである。
【背景技術】
【０００２】
従来、光通信において、比較的短距離かつ低速の通信用途では、発光ダイオード光源及びマルチモードファイバが用いられ、高速・長距離用途では半導体レーザ光源及びシングルモードファイバが用いられてきた。実際に、北米のFDDI規格は125MHz／2km対応で、マルチモードファイバの一種であるコア径62.5μmのグレイデッドインデックス型ファイバが標準として用いられており、622Mbps・2.5Gbps・10GbpsのSDH・SONET対応や1Gbps以上のイーサネット（登録商標）などにはシングルモードファイバと半導体レーザが用いられている。
【０００３】
ところが、近年では、データ信号の増大に伴い、低速の通信用途として既に敷設されているマルチモードファイバを、高速の半導体レーザを用いてアップグレードすることが検討されるようになっている。本来、マルチモードファイバは低速通信に対応するために、光が通るコアがシングルモードファイバより大きく設計されている。そのため、光源から沢山の光を取り込みやすい、コネクタ製造が容易（少々軸ずれしても大きなロスが出ない）といった利点がある一方で、コア内を沢山のモードの光が伝送され、各モードのファイバ内伝播遅延時間が異なることに起因して、光波形が崩れやすく、高速信号伝送が困難であるという欠点があった。
【０００４】
そこで、マルチモードファイバ内のモード間の伝搬遅延時間を補正するため、光から電気へ変換した受信信号の後に、電気的なデジタルフィルタである電子式分散補償回路(EDC: ElectricalDispersion Compensator)を挿入し、10Gb/s伝送を実現する光トランシーバが検討されている（例えば、非特許文献１，非特許文献２参照。）。
【非特許文献１】Jack H. Winters,Richard D. Gitlin, “Electrical Signal Processing Techniques in Long-HaulFiber-Optic System”, Transactions On Communications,1990, vol. 38, No.9,p.1439-1453.
【非特許文献２】P.Pepeljugoski,J.Schaub,J.Tierno,J.Kash,S.Gowda,B.Wilson,H.Wu,A.hajimiri,”ImprovedPerformance of 10 Gb/s Multimode Fiber Optic Links Using Equalization”,Technical Digest of Optical Fiber Conference, 2003,ThG4.
【発明の開示】
【発明が解決しようとする課題】
【０００５】
そして、更に、40Gb/s伝送を実現するために、図６に示すように、送信側１０５では波長が異なる4チャンネル（λ１〜λ４）を合波器１０５ａで合波して送信し、受信側１０１では波長分離フィルタ１１１で各波長に分離後、１チャンネルごとに光電気変換を行い、更に電子式分散補償回路１１５ａ〜１１５ｄで波形を整形し、CDR(Clock DataRecovery)１１７ａ〜１１７ｄでデータを復元する光トランシーバも検討されている。なお、上記波長λ１〜λ４としては、1300nm帯では例えば、1275nm, 1300nm,1325nm, 1350nmなど、25nm間隔の波長が用いられる。
【０００６】
しかしながら、このような構成により、10Gb/s伝送の4波長で40Gb/s伝送を実現するには、４つの各チャンネル毎に4つの電子式分散補償回路が必要である。従って、この光トランシーバにおいては、電子式分散補償回路で消費される電力も4倍となる（例えば、1つの電子式分散補償回路の消費電力を１Wとすると、４つで4Wが消費される。）が、この種の光トランシーバ及び電子式分散補償回路においては、消費電力を極力低減することが望まれている。
【０００７】
そこで、本発明は、消費電力の低減を図ることができる光トランシーバを提供することを目的とする。
【課題を解決するための手段】
【０００８】
本発明の光トランシーバは、波長が互いに異なる複数の信号光を含む光を受信し、複数の信号光に対応した複数のチャンネルを有する光トランシーバであって、複数のチャンネルのそれぞれは複数のタップを有するトランスバーサルフィルタを備え、複数のチャンネルの一に備わるトランスバーサルフィルタのタップの補償係数は、複数の信号光の一の信号光の分散を補償する様に決定されており、一のチャンネル以外の少なくとも一のチャンネルに備わるトランスバーサルフィルタも上記補償係数が設定されていることを特徴とする。
【０００９】
また、本発明の光トランシーバでは、一のチャンネル以外の全てのチャンネルに備わるトランスバーサルフィルタに、上記補償係数が設定されていることが好ましい。
【００１０】
光トランシーバは更に、一のチャンネルのトランスバーサルフィルタの補償係数を、一のチャンネル以外のトランスバーサルフィルタの補償係数として設定する補償係数設定手段を備えることが好ましい。
【００１１】
また、本発明の光トランシーバにおいて、複数の信号光を含む光は、マルチモードファイバを介して受信されてもよい。
【００１２】
また、本発明の光トランシーバは、複数の信号光を含む光を受信し、複数のタップを有し各信号光に対応したトランスバーサルフィルタを用いて、各信号光に含まれる分散を電気的に補償して出力する光トランシーバであって、タップの補償係数は、複数の信号光のうちの１つの信号光の分散の補償に適するように最適化され、複数の信号光のうちの他のすべての信号光の分散についても、補償係数が適用されて補償することとしてもよい。
【００１３】
この光トランシーバでは、受信する複数の信号光に含まれる分散を、各信号光に対応したトランスバーサルフィルタ用いて、それぞれ電気的に補償して出力する。トランスバーサルフィルタのタップの補償係数は、上記信号光のうちの１つの信号光の分散の補償に適するように最適化されており、他のすべての信号光の分散補償においても、同じ補償係数が適用される。したがって、複数の信号光それぞれについてタップの補償係数を個別に最適化する必要がなくなり、補償係数の最適化のために必要とする消費電力を低減することができる。
【００１４】
また、本発明の光トランシーバは、複数の信号光を含む光を受信し、各信号光のそれぞれに対応した複数のトランスバーサルフィルタを用いて、各信号光に含まれる分散を電気的に補償して出力する光トランシーバであって、複数のトランスバーサルフィルタのうちの１つのトランスバーサルフィルタにおいて当該トランスバーサルフィルタのタップの補償係数を最適化して設定すると共に、他のすべてのトランスバーサルフィルタのタップの補償係数として、最適化された上記の補償係数を設定する補償係数設定手段を備えることとしてもよい。
【００１５】
この光トランシーバは、受信する複数の信号光に含まれる分散を、複数のトランスバーサルフィルタ用いて、それぞれ電気的に補償して出力する。この光トランシーバの補償係数設定手段は、上記複数のトランスバーサルフィルタのうちの１つについて、最適化されたタップの補償係数を設定する。そして、この最適化された補償係数を、他のすべてのトランスバーサルフィルタのタップの補償係数としても採用し設定する。このように、１つのトランスバーサルフィルタについて最適化された補償係数が、他のすべてのトランスバーサルフィルタについても採用されるので、補償係数設定手段がトランスバーサルフィルタの間で共有化される。従って、この光トランシーバでは、補償係数設定手段の数を削減することができ、削減される分だけ消費電力を低減することができる。
【００１６】
本発明の光トランシーバは、複数の信号光を含む光を受信し、複数のタップを有し各信号光に対応したトランスバーサルフィルタを用いて、各信号光に含まれる分散を電気的に補償して出力する光トランシーバであって、タップの補償係数は、複数の信号光のうちの１つの信号光の分散の補償に適するように最適化され、複数の信号光のうちの他の少なくとも１つの信号光の分散についても、最適化されたタップの補償係数が適用されて補償されることとしてもよい。
【００１７】
この光トランシーバでは、受信する複数の信号光に含まれる分散を、各信号光に対応したトランスバーサルフィルタ用いて、それぞれ電気的に補償して出力する。トランスバーサルフィルタのタップの補償係数は、上記信号光のうちの１つの信号光の分散の補償に適するように最適化されており、他の少なくとも１つの信号光の分散補償においても、同じ補償係数が適用される。したがって、タップの補償係数の最適化を削減することができ、補償係数の最適化のために必要とする消費電力を低減することができる。
【００１８】
また、本発明の光トランシーバは、複数の信号光を含む光を受信し、各信号光のそれぞれに対応した複数のトランスバーサルフィルタを用いて、各信号光に含まれる分散を電気的に補償して出力する光トランシーバであって、複数のトランスバーサルフィルタのうちの１つのトランスバーサルフィルタにおいて当該トランスバーサルフィルタのタップの補償係数を最適化して設定すると共に、他の少なくとも１つのトランスバーサルフィルタのタップの補償係数として、最適化された上記の補償係数を設定する補償係数設定手段を備えることとしてもよい。
【００１９】
この光トランシーバは、受信する複数の信号光に含まれる分散を、複数のトランスバーサルフィルタ用いて、それぞれ電気的に補償して出力する。この光トランシーバの補償係数設定手段は、上記複数のトランスバーサルフィルタのうちの１つについて、最適化されたタップの補償係数を設定する。そして、この最適化された補償係数を、他の少なくとも１つのトランスバーサルフィルタのタップの補償係数としても採用し設定する。このように、１つのトランスバーサルフィルタについて最適化された補償係数が、他の少なくとも１つのトランスバーサルフィルタについても採用されるので、補償係数設定手段がトランスバーサルフィルタの間で共有化される。従って、この光トランシーバでは、補償係数設定手段の数を削減することができ、削減される分だけ消費電力を低減することができる。
【００２０】
また、電子式分散補償回路は、複数の各信号光に含まれる分散を、タップを有するトランスバーサルフィルタを用いて電気的に補償する電子式分散補償回路であって、タップの補償係数は、複数の信号光のうちの１つの信号光の分散の補償に適するように最適化され、複数の信号光のうちの他の信号光の分散についても、最適化されたタップの補償係数が適用されて補償されることとしてもよい。
【００２１】
この電子式分散補償回路では、受信する複数の信号光に含まれる分散を、各信号光に対応したトランスバーサルフィルタ用いて、それぞれ電気的に補償して出力する。トランスバーサルフィルタのタップの補償係数は、上記信号光のうちの１つの信号光の分散の補償に適するように最適化されており、他の信号光の分散補償においても、同じ補償係数が適用される。したがって、複数の信号光それぞれについてタップの補償係数を個別に最適化する必要がなくなり、補償係数の最適化のために必要とする消費電力を低減することができる。
【発明の効果】
【００２２】
本発明によれば、光トランシーバにおいて、消費電力の低減を図ることができる。
【発明を実施するための最良の形態】
【００２３】
以下、図面を参照しつつ本発明に係る光トランシーバの好適な実施形態について詳細に説明する。
【００２４】
図１に示す光トランシーバ１は、マルチモードファイバ（ＭＭＦ）３を介して波長多重方式で伝送される外部からの信号光を送受信する装置である。この光トランシーバ１に対して信号を送信するための送信器５では、４種類の異なる波長（λ１，λ２，λ３，λ４）を持つ４チャンネルの光が合波器５ａにより合波され、信号光としてマルチモードファイバ３に送信される。そして、光トランシーバ１では、この信号光が波長分離フィルタ１１で各波長λ１〜λ４の信号光に分離され、１チャンネルごとにフォトダイオード（ＰＤ）１３ａ〜１３ｄで光電気変換される。ＰＤ１３ａ〜１３ｄからの電気信号は、電子式分散補償回路１５に入力されてそれぞれ分散補償が行われ波形が整形された後、ＣＤＲ（Clock Data Recovery）１７ａ〜１７ｄにおいてそれぞれデータ復元される。なお、例えば、上記波長λ１〜λ４としては、1300nm帯では例えば、1275nm, 1300nm,1325nm, 1350nmといったような25nm間隔の波長が用いられる。
【００２５】
図２に示すように、上記電子式分散補償回路１５は、異なる４つの波長λ１〜λ２の信号光に含まれる分散をそれぞれ電気的に補償するため、４つのトランスバーサルフィルタ２１，２２，２３，２４を有している。トランスバーサルフィルタ２１，２２，２３，２４は、それぞれ、上記ＰＤ１３ａ，１３ｂ，１３ｃ，１３ｄ（図１参照）からの電気信号の波形の整形を行う。
【００２６】
このうち、トランスバーサルフィルタ２２には、ＰＤ１３ｂからの電気信号が入力され、波長λ２の信号光の分散が電気的に補償される。このトランスバーサルフィルタ２２は、遅延回路Ｔ及び乗算器Ｃ０〜Ｃｍにより複数のタップが構成されたＦＦＥ（Feed Forward Equalizer）部３１と、遅延回路Ｔ及び乗算器Ｄ０〜Ｄｎにより複数のタップが構成されたＤＦＥ（Decision Feed-backEqualizer）部３３とを備えている。ＦＦＥ部３１では、遅延回路Ｔにより入力信号に対して1bit（Ｔ）分ずつ遅延した各信号に、各乗算器Ｃ０〜Ｃｍにおいてc0〜cmの各係数をかけ、Sum回路３５で総和を取っている。ＤＦＥ部３３では、出力信号をslicer３７で“１”、“０”判定し、遅延回路Ｔによりその判定後の信号（“１”もしくは“０”）に対して1bit（Ｔ）分ずつ遅延した信号に、各乗算器Ｄ０〜Ｄｎにおいてd0〜dnの各係数をかけ、Sum回路３５で総和を取っている。ＦＦＥ部３１における上記タップ係数（補償係数）c0〜cm、及びＤＦＥ部３３における上記各タップ係数（補償係数）d0〜dnは、後述するタップ係数設定回路２５から送信される設定信号ｉによって適切な値に設定される。
【００２７】
なお、上記のトランスバーサルフィルタ２２の構成は、トランスバーサルフィルタ２１，２３，２４においても同様であるので、トランスバーサルフィルタ２１，２３，２４の各構成要素には、トランスバーサルフィルタ２２における同一又は同等の構成要素と同一の符号を付して説明を省略する。
【００２８】
トランスバーサルフィルタ２２において、slicer３７への入力信号と出力信号(“１”もしくは“０”）との誤差信号は、タップ係数設定回路２５に送信され、タップ係数設定回路２５では、この誤差信号に基いて入力信号と出力信号との誤差が最小となるように各タップ係数c0〜cm,d0〜dnが決定される。そして、タップ係数設定回路２５から送信される設定信号ｉにより、トランスバーサルフィルタ２２においては、ＦＦＥ部３１における上記タップ係数c0〜cm、及びＤＦＥ部３３における上記の各タップ係数d0〜dnが更新される。このようにタップ係数c0〜cm,d0〜dnが最適化され設定されることで、このトランスバーサルフィルタ２２では、ＰＤ１３ｂからの信号に対して最適の波形整形を行うことができる。
【００２９】
ここで、マルチモードファイバ３（図１参照）のモード分散による遅延時間は波長依存性を持っているので、それぞれ異なる波長λ１〜λ４の信号光に含まれる分散がそれぞれ適切に補償されるためには、トランスバーサルフィルタ２１〜２４毎に、独自のタップ係数c0〜cm,d0〜dnが設定される必要がある。従って、トランスバーサルフィルタ２１，２３，２４においても、上記のようなタップ係数設定回路を独自に設け、それぞれ独自にタップ係数c0〜cm,d0〜dnを最適化して設定することが考えられる。しかしながら、特に、λ１=1275nm、λ２=1300nm、λ３=1325nm、λ４=1350nmといったように信号光の波長幅間隔が狭い場合、モード分散による信号光の遅延時間は波長によってそれ程大きくは変わらない。従って、各トランスバーサルフィルタ２１〜２４に設定すべき最適なタップ係数c0〜cm,d0〜dnにもあまり大きな相違はないものと考えられる。
【００３０】
例えば、図３には、同じ屈折率分布のマルチモードファイバ（ＭＭＦ）を用いて、λ１=1275nm、λ２=1300nm、λ３=1325nm、λ４=1350nmの４つの信号光を３００ｍ伝送した後のアイパターンを示している。この図によれば、1275nmのアイパターンにおいて若干アイ開口部が大きいが、４つの波長の違いによってそれほど大きな差異は生じないことが判る。
【００３１】
続いて、図４の電子式分散補償回路（ＥＤＣ）３０を用いて等化された後の、上記４つの信号のアイパターンを図５に示す。また、図３及び図５に示した各アイパターンのＥＯＰ（Eye Opening Penalty）を表１にまとめている。なお、この電子式分散補償回路３０の場合、ＦＦＥ部３１のタップ数は５とし、ＤＦＥ部３３のタップ数は２としている。また、タップ係数c0〜cm,d0〜dnは、波長λ２（1300nm）の信号光の分散補償について最適化され、以下の数値となっている。
c0=0.06，c1=-0.41，c2=2.38，c3=0.08，c4=-0.07，d0=-0.42，d1=-0.16
なお、この電子式分散補償回路３０において、上記電子式分散補償回路１５と同一又は同等の構成要素には同一の符号を付して説明を省略する。
【表１】
2008054219.tif 000003
【００３２】
上記の通り、電子式分散補償回路３０では、波長λ２（1300nm）の信号光に対応して最適に分散補償が行われるタップ係数が設定されているが、図５及び表１によれば、波長λ１（1275nm），λ３（1325nm），λ４（1350nm）の信号光についても、アイパターンのアイ開口部を十分に大きくすることができ、波形が良好に整形されていることが判る。
【００３３】
そこで、このような知見に基づき、この光トランシーバ１における電子式分散補償回路１５は、図２に示すように、タップ係数設定回路２５から送信される設定信号ｉが、トランスバーサルフィルタ２２ばかりではなく、トランスバーサルフィルタ２１，２３，２４にも入力される構成となっている。この構成によれば、波長λ２の信号光の分散を補償するために最適化されたタップ係数c0〜cm,d0〜dnが、トランスバーサルフィルタ２２ばかりではなく、トランスバーサルフィルタ２１，２３，２４においても適用される。すなわち、トランスバーサルフィルタ２２におけるslicer３７への入力信号と出力信号との誤差を最小とするようなタップ係数c0〜cm,d0〜dnが、すべてのトランスバーサルフィルタ２１〜２４における共通のタップ係数として設定される。
【００３４】
このように、１つのトランスバーサルフィルタ２２について最適化されたタップ係数c0〜cm,d0〜dnが、すべてのトランスバーサルフィルタ２１〜２４について採用されるので、タップ係数設定回路２５はトランスバーサルフィルタ２１〜２４毎に設ける必要がなく、１つのみ設ければよい。従って、この光トランシーバ１では、タップ係数設定回路２５をトランスバーサルフィルタ２１〜２４毎に４つ設ける場合に比較して、タップ係数c0〜cm,d0〜dnの最適化に要する消費電力を低減することができる。例えば、トランスバーサルフィルタ２１〜２４がそれぞれ０．５Ｗを消費し、タップ係数設定回路２５が０．５Ｗを消費するとすれば、タップ係数設定回路を４つ設けた場合の消費電力は合計４Ｗとなるが、この光トランシーバ１では合計２．５Ｗに抑えることができる。
【００３５】
また、タップ係数設定回路２５では、波長λ２の光の分散を補償するために最適化されたタップ係数が、各トランスバーサルフィルタ２１、２３，２４にも設定されるが、このようなタップ係数を、波長λ１，λ３，λ４の信号光の分散補償に適用しても、上述したように、十分に波形の整形を行うことができる。
【００３６】
本発明は、上記実施形態に限定されるものではない。例えば、上記実施形態においては、マルチモードファイバ伝送の例について示したが、シングルモードファイバ伝送の場合にも、同様に１つの波長の信号光の分散補償ついてのみタップ係数を最適化することで、消費電力を低減することが可能である。
【００３７】
また、各波長の信号光に対応するすべてのトランスバーサルフィルタについてタップ係数を共通させる必要はない。例えば、10Gb/s×10波長の信号光で100Gb/s伝送を行う場合には波長範囲が広くなるが、その場合には、例えば、5波長ずつの２ブロックに分け、それぞれのブロック内で、１波長の信号光の分散補償についてみタップ係数を最適化するようなタップ係数設定回路を設け、ブロック内でタップ係数を共通化させることで、消費電力の低減を図ることが可能である。
【図面の簡単な説明】
【００３８】
【図１】本発明に係る光トランシーバの一実施形態を示すブロック図である。
【図２】図１の光トランシーバの電子式分散補償回路を示すブロック図である。
【図３】（ａ），（ｂ），（ｃ），（ｄ）は、各波長の信号光をマルチモードファイバ伝送させた後のアイパターンを示す図である。
【図４】図３の各信号光の波形を整形する電子式分散補償回路を示すブロック図である。
【図５】（ａ），（ｂ），（ｃ），（ｄ）は、各波長の信号光をマルチモードファイバ伝送させ、図４に示す電子式分散補償回路で波形を整形した後のアイパターンを示す図である。
【図６】マルチモードファイバ伝送の一形態を示すブロック図である。
【００３９】
１…光トランシーバ、３…マルチモードファイバ、１５…電子式分散補償回路、２１，２２，２３，２４…トランスバーサルフィルタ、２５…タップ係数設定回路（補償計数設定手段）、c0〜cm,d0〜dn…タップ係数（補償係数）。
【図１】
2008054219.tif 000004
【図２】
2008054219.tif 000005
【図３】
2008054219.tif 000006
【図４】
2008054219.tif 000007
【図５】
2008054219.tif 000008
【図６】
2008054219.tif 000009